(57)【特許請求の範囲】
【請求項１】
架台と、
前記架台に設けられ、前記架台の上面から上方に突出する主軸と、
前記架台に水平な軸を介して回転自在に設けられ、上端部が前記架台の上面よりも上方に配置された複数のコロと、
前記各コロに載せられ、前記各コロに案内されて前記主軸を中心に回転する第１ロープ支持台と、
前記第１ロープ支持台に設けられ、一部が、前記主軸を中心とする円に沿うように配置され、前記第１ロープ支持台の上面から突出する第１ロープガイドと、
前記第１ロープガイドの前記一部に載せられ、前記第１ロープ支持台とともに前記主軸を中心に回転する第２ロープ支持台と、
前記第２ロープ支持台に設けられ、一部が、前記主軸を中心とする円に沿うように配置され、前記第２ロープ支持台の上面から突出する第２ロープガイドと、
を備え、
前記第１ロープガイドは、前記第１ロープ支持台の上面上で平坦となるように、前記一部が折り畳み自在に構成され、
前記第２ロープガイドは、前記第２ロープ支持台の上面上で平坦となるように、前記一部が折り畳み自在に構成された
エレベーター用ロープ送り出し装置。
【請求項２】
前記第２ロープ支持台は、下面に、前記第１ロープガイドの前記一部の上端が配置される凹部が形成された請求項１に記載のエレベーター用ロープ送り出し装置。
【請求項３】
前記第１ロープガイド及び前記第２ロープガイドは、それぞれの前記一部が、前記主軸を中心とする複数の円に沿うように位置調整が可能である請求項１又は請求項２に記載のエレベーター用ロープ送り出し装置。
【請求項４】
前記第１ロープ支持台及び前記第２ロープ支持台に、貫通孔が形成され、
前記主軸は、前記第１ロープ支持台及び前記第２ロープ支持台に形成された前記各貫通孔を貫通するように配置された
請求項１から請求項３の何れか一項に記載のエレベーター用ロープ送り出し装置。
【請求項５】
前記主軸は、下端部が、前記架台に着脱自在に設けられた請求項４に記載のエレベーター用ロープ送り出し装置。
【請求項６】
送り出すロープを案内するためのロープ送り出しガイドと、
を備え、
前記ロープ送り出しガイドは、前記架台に着脱自在に設けられた請求項１から請求項５の何れか一項に記載のエレベーター用ロープ送り出し装置。
【発明の詳細な説明】
【技術分野】
【０００１】
この発明は、エレベーター用ロープを交換する際、例えば、主ロープの取り替え工事の際に使用されるロープ送り出し装置に関するものである。
【背景技術】
【０００２】
エレベーターでは、主ロープや調速機ロープ等、種々のロープが用いられている。
下記特許文献１及び２には、それまで使用していたロープ（旧ロープ）を回収しながら、新しいロープ（新ロープ）を送り出すための器具が提案されている。
【０００３】
特許文献１に記載された器具は、調速機ロープを交換する際に、昇降路のピット底面に立てた状態で使用される。特許文献１に記載のものでは、水平に配置された軸を回転させて、新ロープの送り出し作業を行う。
【０００４】
特許文献２に記載された器具は、主ロープの取り替え工事の際に、最下階のエレベーター乗場等に横に寝かせた状態で使用される。特許文献２に記載のものでは、垂直に配置された軸を回転させて、新ロープの送り出し作業を行う。
【先行技術文献】
【特許文献】
【０００５】
【特許文献１】特開平６−２３９５６３号公報
【特許文献２】特開２００５−１３８９１７号公報
【発明の概要】
【発明が解決しようとする課題】
【０００６】
特許文献１に記載のものでは、その器具の構造から、新ロープの送り出し作業中に器具が転倒する或いは傾く等、安定性に欠けるといった問題があった。昇降路のピットには、エレベーターを動作させるための機器が設置されていることもあり、上記器具が転倒すると、これらの機器を損傷させてしまう恐れがあった。また、特許文献１に記載のものは大型であり、運搬及び保管が困難になるといった問題もあった。
【０００７】
特許文献２に記載のものは、軸を垂直に配置した状態で使用されるため、特許文献１に記載のもののように、新ロープの送り出し作業中に転倒したり傾いたりする恐れはない。また、複数本の新ロープを同時に送り出すこともできる。しかし、特許文献２に記載のものは、特許文献１に記載のものと同様に、器具が大型であり、運搬及び保管が困難になるといった問題があった。
【０００８】
この発明は、上述のような課題を解決するためになされたもので、その目的は、新ロープを容易に送り出すことができるとともに、運搬が容易で、且つ保管スペースを低減させることができるエレベーター用ロープ送り出し装置を提供することである。
【課題を解決するための手段】
【０００９】
この発明に係るエレベーター用ロープ送り出し装置は、架台と、架台に設けられ、架台の上面から上方に突出する主軸と、架台に水平な軸を介して回転自在に設けられ、上端部が架台の上面よりも上方に配置された複数のコロと、各コロに載せられ、各コロに案内されて主軸を中心に回転する第１ロープ支持台と、第１ロープ支持台に設けられ、一部が、主軸を中心とする円に沿うように配置され、第１ロープ支持台の上面から突出する第１ロープガイドと、第１ロープガイドの一部に載せられ、第１ロープ支持台とともに主軸を中心に回転する第２ロープ支持台と、第２ロープ支持台に設けられ、一部が、主軸を中心とする円に沿うように配置され、第２ロープ支持台の上面から突出する第２ロープガイドと、を備え、第１ロープガイドは、第１ロープ支持台の上面上で平坦となるように、一部が折り畳み自在に構成され、第２ロープガイドは、第２ロープ支持台の上面上で平坦となるように、一部が折り畳み自在に構成されたものである。
【発明の効果】
【００１０】
この発明に係るエレベーター用ロープ送り出し装置であれば、新ロープを容易に送り出すことができるとともに、運搬が容易で、且つ保管スペースを低減させることができるようになる。
【図面の簡単な説明】
【００１１】
【図１】この発明の実施の形態１におけるエレベーター用ロープ送り出し装置を示す正面図である。
【図２】ロープ支持台及びロープガイドの構成を示す斜視図である。
【図３】図２のロープガイドに新ロープを巻き付けた状態を示す図である。
【図４】ロープガイドを示す斜視図である。
【図５】折り畳んだ状態のロープガイドを示す正面図である。
【図６】折り畳んだ状態のロープガイドを示す側面図である。
【図７】ロープ送り出しガイドを示す斜視図である。
【図８】この発明の実施の形態１におけるエレベーター用ロープ送り出し装置の使用方法を説明するための図である。
【図９】この発明の実施の形態１におけるエレベーター用ロープ送り出し装置の使用方法を説明するための図である。
【図１０】この発明の実施の形態１におけるエレベーター用ロープ送り出し装置の保管時の状態を示す図である。
【発明を実施するための形態】
【００１２】
添付の図面を参照して、本発明を詳細に説明する。各図において、同一又は相当する部分には、同一の符号を付している。重複する説明については、適宜簡略化或いは省略している。
【００１３】
実施の形態１．
図１はこの発明の実施の形態１におけるエレベーター用ロープ送り出し装置を示す正面図である。
エレベーターでは、主ロープや調速機ロープ等、種々のロープが用いられている。本ロープ送り出し装置は、エレベーターの改修工事等において、ロープの交換を行う際に作業者によって使用されるものである。本ロープ送り出し装置は、エレベーター昇降路のピット底面や、エレベーター乗場の床面等に置いて使用される。
【００１４】
具体的に、本ロープ送り出し装置は、架台１、主軸２、キャスター３、ロープ支持台４、ロープガイド５、ロープ送り出しガイド６により、その要部が構成される。以下に、図２乃至図７も参照し、本ロープ送り出し装置の構成について具体的に説明する。
【００１５】
図２はロープ支持台及びロープガイドの構成を示す斜視図である。図３は図２のロープガイドに新ロープを巻き付けた状態を示す図である。図４はロープガイドを示す斜視図である。図５は折り畳んだ状態のロープガイドを示す正面図、図６はその側面図である。図７はロープ送り出しガイドを示す斜視図である。
【００１６】
架台１は、例えば、円形を呈する板状部材から構成される。架台１は、装置全体の重量を支持する。
主軸２は、後述のロープ支持台４を支持し、その回転方向を案内する。主軸２は、例えば、所定の長さを有する円柱状の部材からなる。主軸２は、下端部が、架台１の中央部上面に着脱自在に固定される。主軸２は、架台１に設けられると、架台１の上面から上方に突出するように配置される。
【００１７】
架台１の上面には、キャスター３が上向きに固定されている。キャスター３は、主軸２を中心として、複数個（本実施の形態では、４個）が等間隔で配置されている。キャスター３の各コロは、水平な軸を介して架台１に回転自在に設けられている。キャスター３が架台１の上面に上向きに固定されているため、キャスター３の各コロは、上端部が、架台１の上面よりも上方に配置される。また、キャスター３の各コロは、上端部が、主軸２を中心とする円の接線方向に移動するように配置されている。
【００１８】
ロープ支持台４は、新しいロープ（新ロープ）を支持するためのものである。ロープ支持台４には、ロープガイド５が設けられている。新ロープは、ロープガイド５に巻き付けられ、ロープ支持台４に支持される。ロープ支持台４は、新ロープ１本につき、１台が用意される。本実施の形態では、３本の新ロープを同時に送り出すため、ロープ送り出し装置に、３台のロープ支持台４が備えられている。以下においては、ロープ支持台４を個別に特定する必要がある場合、下に配置されたものから、符号４ａ、４ｂ、４ｃを付して区別する。
【００１９】
ロープ支持台４は、例えば、円形を呈する板状部材から構成される。ロープ支持台４の中心部には、主軸２の径よりも僅かに大きな径を有する貫通孔７が形成されている。
【００２０】
ロープガイド５は、例えば、Ｌ字状を呈する部材からなる。ロープガイド５は、Ｌ字の一辺側に貫通孔５ａが、Ｌ字の他辺側に長孔５ｂが形成されている。ロープガイド５は、Ｌ字の他辺側に形成された長孔５ｂを用いて、複数（例えば、２本）のボルト８によりロープ支持台４の上面に固定される。ロープガイド５は、Ｌ字の他辺側がロープ支持台４の上面に固定されることにより、Ｌ字の一辺側が、ロープ支持台４の上面から突出するように配置される。
【００２１】
１つのロープ支持台４には、複数個（本実施の形態では、４個）のロープガイド５が設けられる。ロープガイド５は、ロープ支持台４の上面から突出する一辺側が、貫通孔７の周囲に等間隔に配置される。本実施の形態では、ロープ支持台４の上面に、ロープガイド５を９０度おきに配置した場合を示している。
【００２２】
新ロープは、各ロープガイド５の一辺側に巻き付けられて支持される（図３参照）。ロープガイド５は、長孔５ｂを用いてロープ支持台４に固定されるため、ボルト８による固定位置を変更することにより、新ロープの径に合わせて、その巻き径を自在に調節することができる。
【００２３】
また、ロープガイド５は、例えば、Ｌ字の一辺側と他辺側とが蝶番（図示せず）によって連結されることにより、ロープ支持台４の上面上で折り畳み自在に構成される。新ロープを巻き付ける時は、ロープガイド５の一辺側を立てて使用する。これに対し、ロープ送り出し装置を運搬する場合や保管する場合、ロープガイド５は、Ｌ字の一辺側が折り畳まれ、他辺側と平行に、即ち、ロープ支持台４の上面上で平坦となるように配置される。この時、ロープガイド５をロープ支持台４に固定するためのボルト８が、ロープガイド５のＬ字の一辺側に形成された貫通孔５ａ内に配置される（図５及び図６参照）。このため、ロープガイド５を折り畳む際に、ボルト８の頭部が障害となることはない。貫通孔５ａは、ボルト８の頭部よりも大きな径となるように予め設定されている。
【００２４】
ロープガイド５を備えたロープ支持台４は、交換するロープの本数に合わせて、複数組が架台１の上方に重ねて積み上げられる。
一番下に配置されるロープ支持台４ａは、各キャスター３のコロの上に載せられる。また、ロープ支持台４ａは、主軸２が、中心部に形成された貫通孔７を貫通するように配置される。ロープ支持台４ａが各コロの上に適切に載せられることにより、ロープ支持台４ａは、各キャスター３のコロに案内されて、主軸２を中心に双方向に回転自在となる。また、ロープ支持台４ａに固定されたロープガイド５は、Ｌ字の各一辺側が、主軸２を中心とする円に沿うように、主軸２の周囲に配置される。
【００２５】
ロープ支持台４ａの１つ上に配置されるロープ支持台４ｂは、ロープ支持台４ａに設けられたロープガイド５の各一辺側の上に載せられる。また、ロープ支持台４ｂは、主軸２が、中心部に形成された貫通孔７を貫通するように配置される。ロープガイド５には、新ロープ（の内側）をガイドする機能の他、上方に配置されるロープ支持台４を支持する機能が備えられている。
【００２６】
ロープ支持台４ｂが、ロープ支持台４ａに設けられた各ロープガイド５の上に適切に載せられることにより、ロープ支持台４ｂは、ロープ支持台４ａとともに主軸２を中心に回転する。ロープ支持台４ｂをロープ支持台４ａの動き（回転）に確実に追従させるため、ロープ支持台４ｂの下面に凹部（図示せず）を形成し、この凹部に、ロープ支持台４ａに設けられたロープガイド５の各一辺側の上端を配置して（嵌め合わせて）も良い。ロープ支持台４ｂが一段下のロープガイド５に適切に載せられることにより、ロープ支持台４ｂに固定されたロープガイド５は、Ｌ字の各一辺側が、主軸２を中心とする円に沿うように、主軸２の周囲に配置される。
【００２７】
ロープ支持台４ｂの１つ上に配置されるロープ支持台４ｃは、ロープ支持台４ｂに設けられたロープガイド５の各一辺側の上に載せられる。また、ロープ支持台４ｃは、主軸２が、中心部に形成された貫通孔７を貫通するように配置される。ロープ支持台４ｃが、ロープ支持台４ｂに設けられた各ロープガイド５の上に適切に載せられることにより、ロープ支持台４ｃは、ロープ支持台４ａ及び４ｂとともに主軸２を中心に回転する。また、ロープ支持台４ｃに固定されたロープガイド５は、Ｌ字の各一辺側が、主軸２を中心とする円に沿うように、主軸２の周囲に配置される。
【００２８】
本装置を用いて４本以上の新ロープを同時に送り出す場合は、上記構成のロープ支持台４を、更に積み上げて装置を構成すれば良い。
また、ロープ支持台４の各下面に、凹部を形成しても良い。
【００２９】
ロープ送り出しガイド６は、装置から送り出す新ロープを案内するためのものである。ロープ送り出しガイド６は、架台１に着脱自在に設けられている。
【００３０】
ロープ送り出しガイド６は、例えば、取付板９、支持軸１０、一対のローラ１１により、その要部が構成される。支持軸１０は、縦長のＵ字状を呈しており、両先端部が取付板９に固定されている。取付板９は、取付孔９ａを介してボルト（図示せず）によって架台１の上面に固定される。ローラ１１は、支持軸１０に回転自在に設けられており、所定の間隙を有して互いに対向するように、平行に配置されている。
【００３１】
次に、図８乃至図１０も参照し、上記構成を有するロープ送り出し装置の使用方法及び保管方法について、具体的に説明する。図８及び図９は、この発明の実施の形態１におけるエレベーター用ロープ送り出し装置の使用方法を説明するための図である。図１０は、この発明の実施の形態１におけるエレベーター用ロープ送り出し装置の保管時の状態を示す図である。
【００３２】
エレベーターの主ロープを取り替える時等、本ロープ送り出し装置を使用する場合、先ず、架台１を設置し、架台１の中央部に主軸２を取り付ける。次に、架台１（のキャスター３）の上に、新ロープがロープガイド５に巻き付けられたロープ支持台４を、新ロープの本数分だけ積み重ねる。そして、ロープ送り出しガイド６を架台１に取り付ける。
【００３３】
新ロープを送り出す時は、各新ロープの先端をロープ送り出しガイド６のローラ１１間に通してから、各新ロープを引き出す。新ロープが送り出されると、ロープ支持台４は、キャスター３に案内されて主軸２を中心に、それぞれが同期して回転する。
【００３４】
新ロープの送り出し作業が終了すると、ロープ支持台４に設けられた各ロープガイド５を折り畳み、ロープガイド５を折り畳んだ状態で、ロープ支持台４を架台１（のキャスター３）の上に積み重ねる。また、主軸２とロープ送り出しガイド６とを架台１から取り外し、一番上のロープ支持台４に載せる（図１０参照）。
【００３５】
上記構成を有するロープ送り出し装置であれば、新ロープを容易に送り出すことができる。また、運搬が容易で、且つ保管スペースを低減させることもできる。本装置であれば、従来の装置のように、新ロープの送り出し作業中に不安定になったり、運搬や保管が困難になったりすることはない。
本装置であれば、新ロープを送り出す際に、床（昇降路ピットの床面や乗場の床面等）が汚れることも防止できる。
【００３６】
また、上記構成のロープ送り出し装置であれば、ロープガイド５の各一辺側の位置を、
主軸２を中心とする複数の円に沿うように調整することができる。このため、同じ現場において複数種類のロープの交換作業を行う場合や、複数の現場においてロープの交換作業を行う場合にも、容易に対応が可能である。
【符号の説明】
【００３７】
１  架台
２  主軸
３  キャスター
４、４ａ、４ｂ、４ｃ  ロープ支持台
５  ロープガイド
５ａ  貫通孔
５ｂ  長孔
６  ロープ送り出しガイド
７  貫通孔
８  ボルト
９  取付板
９ａ  取付孔
１０  支持軸
１１  ローラ
【図１】
0005807457.tif 000002
【図２】
0005807457.tif 000003
【図３】
0005807457.tif 000004
【図４】
0005807457.tif 000005
【図５】
0005807457.tif 000006
【図６】
0005807457.tif 000007
【図７】
0005807457.tif 000008
【図８】
0005807457.tif 000009
【図９】
0005807457.tif 000010
【図１０】
0005807457.tif 000011